【手続補正書】
【提出日】平成16年2月20日(2004.2.20)
【手続補正１】
【補正対象書類名】明細書
【補正対象項目名】特許請求の範囲
【補正方法】変更
【補正の内容】
【特許請求の範囲】
【請求項１】
記録再生可能な記録媒体と、該記録媒体に所望の信号を記録および／または再生する記録再生装置とを備える記録再生システムにおいて、
前記記録媒体は記録再生装置から脱着可能な構造体であり、
前記記録再生装置は、記録再生装置に割り当てられた第一の識別符号を持ち、前記第一の識別符号を記憶する脱着可能な第一の記憶手段を備えたことを特徴とする記録再生システム。
【請求項２】
前記記録再生システムは、前記第一の記憶手段が装着されている時のみに、記録および／または再生を行う特徴とする請求項１記載の記録再生システム。
【請求項３】
前記記録再生システムは、記録再生装置内に配置された不揮発性のメモリを備え、前記第一の識別符号を格納することを特徴とする請求項２記載の記録再生システム。
【請求項４】
前記記録再生システムは、前記記録再生装置に割り当てられた第一の識別符号と、前記第一の記憶手段に記憶されている第一の識別符号に基づいて、記録媒体への記録許可を判断することを特徴とする請求項３記載の記録再生システム。
【請求項５】
記録システムは、前記第一の識別符号を記録媒体に記録する段階と、記録媒体に所望の信号を記録する毎に、前記所望の信号に対応した異なる第二の識別符号を記録媒体に記録する段階を有するとともに、記録再生装置内に配置された不揮発性のメモリ、もしくは上記第一の記憶手段に、上記第一の識別符号と上記第二の識別符号を格納することを特徴とする請求項４記載の記録再生システム。
【請求項６】
再生システムは、前記記録媒体上の第一の識別符号と、前記記憶手段の第一の識別符号に基づいて再生許可を判断することを特徴とする請求項３記載の記録再生システム。
【請求項７】
記録再生可能な記録媒体と、該記録媒体に所望の信号を記録および／または再生する記録再生装置とを備える記録再生システムにおいて、
前記記録媒体は記録再生装置から脱着可能な構造体であり、
前記記録再生装置は、記録再生装置に割り当てられた第一の識別符号を持ち、前記第一の識別符号を記憶する脱着可能な第一の記憶手段と記録再生装置内に配置された不揮発性のメモリを備え、
記録システムは、前記第一の識別符号を記録媒体に記録する段階と、記録媒体に所望の信号を記録する毎に、記録開始または終了の年月日時刻を示す第三の識別符号を記録する段階を有するとともに、記録再生装置内に配置された不揮発性のメモリ手段、または脱着可能な第一の記憶手段に、上記第一の識別符号、第三の識別符号を格納することを特徴とする記録再生システム。
【請求項８】
再生システムは、上記記録媒体上の第一の識別符号と第三の識別符号と、記録再生装置内の前記不揮発性メモリ、または脱着可能な第一の記憶手段に記憶された第一の識別符号と第三の識別符に基づいて再生許可を判断することを特徴とする請求項７記載の記録再生システム。
【請求項９】
前記記録再生システムの第三の識別符号は、所望の信号を発信している発信局から送付された時刻を参照して記録媒体および上記メモリに格納することを特徴とする請求項７及び８記載の記録再生システム。
【請求項１０】
記録システムは、第一の識別符号を記録媒体に記録する段階と、記録媒体に所望の信号を記録する毎に、記録開始または終了の年月日時刻を示す第三の識別符号とを記録する段階を有するとともに、記録再生装置内に配置された不揮発性のメモリ、または脱着可能な第一の記憶手段に、上記第一の識別符号、第三の識別符号を格納する段階を有するとともに、上記所望の信号に再生を許可する期間が限定される場合には、許可期間を示す信号を記録媒体、または不揮発性のメモリ、または脱着可能な第一の記憶手段に記録するものであり、
再生システムは、上記記録媒体上の第一の識別符号と、記録再生装置内の前記不揮発性メモリ、または脱着可能な第一の記憶手段に記憶された第一の識別符号に基づいて再生許可を判断することに加え、第三の識別符号と上記許可期間を示す信号により再生許可を判断することを特徴とする請求項９記載の記録再生システム。
【請求項１１】
前記記録再生装置は、前記第一の記憶手段が装着された時、または記録された時に、記憶された符号を読み取り、その符号に基づいて記録を制御するようにすることを特徴とする請求項１記載の記録再生システム。
【請求項１２】
前記記録再生システムは、表示手段を備え、その装置に対応しない別の第一の記憶手段が装着された時には、記録を許可せず、記録不可を意味する表示を行うことを特徴とする請求項１記載の記録再生システム。
【請求項１３】
前記記録再生システムは、プリント手段を備え、上記第一の識別符号を識別するための符号をプリントすることを特徴とする請求項６記載の記録再生システム。
【請求項１４】
脱着可能な第一の記憶手段を組み込む構造であり、脱着可能な記録媒体を再生する再生装置を用いた再生システムにおいて、
前記第一の記憶手段には、前記記録媒体に記録されている信号に対応していることを示す識別符号が記憶されており、該記録媒体に記録された信号を再生する時には、前記第一の記憶手段の識別符号に基づいて再生許可を判断することを特徴とする再生システム。
【請求項１５】
脱着可能な第一の記憶手段を組み込む構造であり、脱着可能な記録媒体を再生する再生装置を用いた再生システムにおいて、
前記第一の記憶手段または、前記記録媒体には、記録されている信号に対応した再生回数を制限する情報が記憶されており、記録されている信号を再生した回数を記憶し、制限された再生回数内ならば、再生を許可するようにすることを特徴とする再生システム。
【請求項１６】
脱着可能な第一の記憶手段を組み込む構造であり、脱着可能な記録媒体を記録再生する記録再生システムにおいて、
前記第一の記憶手段または、前記記録媒体には、記録されている信号に対応した複製世代を制限する情報が記憶されており、記録されている信号が複製された世代を記憶し、制限された複製世代内ならば、記録再生を許可するようにすることを特徴とする記録再生システム。
【請求項１７】
脱着可能な第一の記憶手段を組み込む構造であり、脱着可能な第一の記録媒体を記録再生する記録再生システムにおいて、
前記記録再生システムは、別の記録再生システムに記録されている信号を出力し、別の記録再生システムは出力された信号を第二の記録媒体に記録して複製し、信号を出力した記録再生システムは、出力した信号が記録されていた第一の記録媒体上の領域を消去するシステムであり、
前記第一の記憶手段または、前記第一の記録媒体には、記録されている信号に対応した複製回数を制限する情報が記憶されており、記録されている信号が複製された回数を記憶し、制限された複製回数内ならば、記録再生を許可するようにすることを特徴とする記録再生システム。
【請求項１８】
記録再生可能な記録媒体と、該記録媒体に所望の信号を記録および／または再生する記録再生装置とを備える記録再生システムにおいて、
記録再生装置に割り当てられた第一の識別符号を持ち、前記第一の識別符号を記憶する脱着可能な第一の記憶手段と記録再生装置内に配置された不揮発性のメモリを備え、
記録再生システムは、前記第一の識別符号を記録媒体に記録する段階と、記録媒体から所望の信号を再生する時に、記録開始または終了の年月日時刻を示す第四の識別符号を記録する段階を有するとともに、記録再生装置内に配置された不揮発性のメモリ、または脱着可能な第一の記憶手段に、上記第一の識別符号、第四の識別符号を格納することを特徴とする記録再生システム。